(57)【要約】【課題】  ユーザがウェブブラウザなどの所定のアプリケーションを使用しているか否かに関係なく、ユーザにより情報が視認されやすくすることができるようにする。【解決手段】  端末装置１は、サーバ装置３から情報ファイル４１を取得する情報ファイル取得部と、所定のアプリケーションの動作を検出するアプリケーション検出部と、アプリケーション検出部によりアプリケーションの動作が検出されていない場合、表示装置１２の画面において、１つのウィンドウを表示させ、そのウィンドウ内で、情報ファイルに含まれる情報を表示させるウィンドウ表示処理部と、アプリケーション検出部によりアプリケーションの動作が検出されている場合、表示装置１２の画面に表示されているアプリケーションのツールバーにおいて情報ファイルに含まれる情報を表示させるツールバー表示処理部とを備える。【選択図】  図１
2009223531.tif 000002
【特許請求の範囲】
【請求項１】
サーバ装置から情報ファイルを取得する情報ファイル取得部と、
所定のアプリケーションの動作を検出するアプリケーション検出部と、
前記アプリケーション検出部により前記アプリケーションの動作が検出されていない場合、所定の表示装置の画面において、１つのウィンドウを表示させ、そのウィンドウ内で、前記情報ファイルに含まれる情報を表示させるウィンドウ表示処理部と、
前記アプリケーション検出部により前記アプリケーションの動作が検出されている場合、前記表示装置の画面に表示されている前記アプリケーションのツールバーにおいて前記情報ファイルに含まれる情報を表示させるツールバー表示処理部と、
を備えることを特徴とする表示制御装置。
【請求項２】
サーバ装置から情報ファイルを取得する情報ファイル取得部と、
ウェブブラウザの動作を検出するブラウザ検出部と、
前記ブラウザ検出部によりウェブブラウザの動作が検出されていない場合、所定の表示装置の画面において、１つのウィンドウを表示させ、そのウィンドウ内で、前記情報ファイルに含まれる情報を表示させるウィンドウ表示処理部と、
前記ブラウザ検出部によりウェブブラウザの動作が検出されている場合、前記表示装置の画面に表示されている前記ウェブブラウザのツールバーにおいて前記情報ファイルに含まれる情報を表示させるツールバー表示処理部と、
を備えることを特徴とする表示制御装置。
【請求項３】
前記ウィンドウ表示処理部は、前記ブラウザ検出部によりウェブブラウザの動作が検出されている場合、前記ウィンドウおよび前記情報の表示を停止することを特徴とする請求項２記載の表示制御装置。
【請求項４】
前記情報ファイルにおける情報には１または複数のリンク情報が含まれ、
前記ツールバー表示処理部は、前記ウィンドウ内で前記情報が表示されているときに前記ユーザにより前記リンク情報が選択されて前記ウェブブラウザが起動すると、前記ウェブブラウザのツールバーにおいて前記情報ファイルに含まれる情報の表示を開始すること、
を特徴とする請求項２記載の表示制御装置。
【請求項５】
前記情報ファイル取得部は、内容の異なる前記情報ファイルを繰り返し取得し、
前記ウィンドウ表示処理部は、前記情報ファイル取得部により前記情報ファイルが取得されるたびに、その情報ファイルにおける情報を表示させることを特徴とする請求項２記載の表示制御装置。
【請求項６】
前記情報ファイル取得部は、内容の異なる前記情報ファイルを繰り返し取得し、
前記ツールバー表示処理部は、前記情報ファイル取得部により前記情報ファイルが取得されるたびに、その情報ファイルにおける情報を表示させることを特徴とする請求項２記載の表示制御装置。
【請求項７】
前記情報ファイルは、テキスト情報を含み、
前記ウィンドウ表示処理部は、前記情報ファイルにおけるテキスト情報をスクロール表示させること、
を特徴とする請求項２記載の表示制御装置。
【請求項８】
前記情報ファイルは、テキスト情報を含み、
前記ツールバー表示処理部は、前記情報ファイルにおけるテキスト情報をスクロール表示させること、
を特徴とする請求項２記載の表示制御装置。
【請求項９】
コンピュータを、
サーバ装置から情報ファイルを取得する情報ファイル取得部、
所定のアプリケーションの動作を検出するアプリケーション検出部、
前記アプリケーション検出部により前記アプリケーションの動作が検出されていない場合、所定の表示装置の画面において、１つのウィンドウを表示させ、そのウィンドウ内で、前記情報ファイルに含まれる情報を表示させるウィンドウ表示処理部、および
前記アプリケーション検出部により前記アプリケーションの動作が検出されている場合、前記表示装置の画面に表示されている前記アプリケーションのツールバーにおいて前記情報ファイルに含まれる情報を表示させるツールバー表示処理部、
として機能させる情報表示プログラム。
【請求項１０】
サーバ装置から情報ファイルを取得するステップと、
所定のアプリケーションの動作を検出するステップと、
前記アプリケーションの動作が検出されていない場合、所定の表示装置の画面において、１つのウィンドウを表示させ、そのウィンドウ内で、前記情報ファイルに含まれる情報を表示させるステップと、
前記アプリケーションの動作が検出されている場合、前記表示装置の画面に表示されている前記アプリケーションのツールバーにおいて前記情報ファイルに含まれる情報を表示させるステップと、
を備えることを特徴とする表示制御方法。
【発明の詳細な説明】
【技術分野】
【０００１】
本発明は、表示制御装置、情報表示プログラムおよび表示制御方法に関するものである。
【背景技術】
【０００２】
サーバから配信される情報を、（１）ニュースリーダ、（２）画面一部、および（３）画面全体のいずれかで表示する技術がある（例えば特許文献１参照）。
【０００３】
【特許文献１】特開平１０−１３３８４４号公報
【発明の開示】
【発明が解決しようとする課題】
【０００４】
上記技術では、ワープロなどのアプリケーションが動作中である場合、画面一部にて、情報が表示されるものの、動作中のアプリケーションとは関係なく画面下方の所定位置で情報が表示されるため、ユーザがアプリケーションを使用しているときには、ユーザによりその情報が視認されない可能性が高い。
【０００５】
本発明は、上記の問題に鑑みてなされたものであり、ユーザがウェブブラウザなどのアプリケーションを使用しているか否かに関係なく、ユーザにより情報が視認されやすくすることができる表示制御装置、情報表示プログラムおよび表示制御方法を得ることを目的とする。
【課題を解決するための手段】
【０００６】
上記の課題を解決するために、本発明では以下のようにした。
【０００７】
本発明に係る表示制御装置は、サーバ装置から情報ファイルを取得する情報ファイル取得部と、所定のアプリケーションの動作を検出するアプリケーション検出部と、アプリケーション検出部によりアプリケーションの動作が検出されていない場合、所定の表示装置の画面において、１つのウィンドウを表示させ、そのウィンドウ内で、情報ファイルに含まれる情報を表示させるウィンドウ表示処理部と、アプリケーション検出部によりアプリケーションの動作が検出されている場合、表示装置の画面に表示されているアプリケーションのツールバーにおいて情報ファイルに含まれる情報を表示させるツールバー表示処理部とを備える。
【０００８】
これにより、ユーザが所定のアプリケーションを使用しているか否かに関係なく、ユーザにより視認されやすい位置に情報が表示されるため、ユーザにより情報が視認されやすくすることができる。
【０００９】
また、本発明に係る表示制御装置は、サーバ装置から情報ファイルを取得する情報ファイル取得部と、ウェブブラウザの動作を検出するブラウザ検出部と、ブラウザ検出部によりウェブブラウザの動作が検出されていない場合、所定の表示装置の画面において、１つのウィンドウを表示させ、そのウィンドウ内で、情報ファイルに含まれる情報を表示させるウィンドウ表示処理部と、ブラウザ検出部によりウェブブラウザの動作が検出されている場合、表示装置の画面に表示されているウェブブラウザのツールバーにおいて情報ファイルに含まれる情報を表示させるツールバー表示処理部とを備える。
【００１０】
これにより、ユーザがウェブブラウザを使用しているか否かに関係なく、ユーザにより視認されやすい位置に情報が表示されるため、ユーザにより情報が視認されやすくすることができる。
【００１１】
また、本発明に係る表示制御装置は、上記の表示制御装置に加え、次のようにしてもよい。この場合、ウィンドウ表示処理部は、ブラウザ検出部によりウェブブラウザの動作が検出されている場合、ウィンドウおよび情報の表示を停止する。
【００１２】
これにより、常に一箇所のみにて情報が表示されるため、ユーザが混乱せずに済む。
【００１３】
また、本発明に係る表示制御装置は、上記の表示制御装置のいずれかに加え、次のようにしてもよい。この場合、情報ファイルにおける情報には１または複数のリンク情報が含まれる。そして、ツールバー表示処理部は、ウィンドウ内で情報が表示されているときにユーザによりリンク情報が選択されてウェブブラウザが起動すると、ウェブブラウザのツールバーにおいて情報ファイルに含まれる情報の表示を開始する。
【００１４】
これにより、ユーザの操作に伴いウェブブラウザが起動されても、それに応じて情報の表示位置が変わり、情報がユーザにより視認されやすくなる。
【００１５】
また、本発明に係る表示制御装置は、上記の表示制御装置のいずれかに加え、次のようにしてもよい。この場合、情報ファイル取得部は、内容の異なる情報ファイルを繰り返し取得する。そして、ウィンドウ表示処理部は、情報ファイル取得部により情報ファイルが取得されるたびに、その情報ファイルにおける情報を表示させる。
【００１６】
これにより、継続的にユーザへ各種情報が呈示されるが、その場合においても、継続的に各種情報がユーザにより視認されやすくなる。
【００１７】
また、本発明に係る表示制御装置は、上記の表示制御装置のいずれかに加え、次のようにしてもよい。この場合、情報ファイル取得部は、内容の異なる情報ファイルを繰り返し取得する。そして、ツールバー表示処理部は、情報ファイル取得部により情報ファイルが取得されるたびに、その情報ファイルにおける情報を表示させる。
【００１８】
これにより、継続的にユーザへ各種情報が呈示されるが、その場合においても、継続的に各種情報がユーザにより視認されやすくなる。
【００１９】
また、本発明に係る表示制御装置は、上記の表示制御装置のいずれかに加え、次のようにしてもよい。この場合、情報ファイルは、テキスト情報を含む。そして、ウィンドウ表示処理部は、情報ファイルにおけるテキスト情報をスクロール表示させる。
【００２０】
また、本発明に係る表示制御装置は、上記の表示制御装置のいずれかに加え、次のようにしてもよい。この場合、情報ファイルは、テキスト情報を含む。そして、ツールバー表示処理部は、情報ファイルにおけるテキスト情報をスクロール表示させる。
【００２１】
本発明に係る情報表示プログラムは、コンピュータを、サーバ装置から情報ファイルを取得する情報ファイル取得部、所定のアプリケーションの動作を検出するアプリケーション検出部、アプリケーション検出部によりアプリケーションの動作が検出されていない場合、所定の表示装置の画面において、１つのウィンドウを表示させ、そのウィンドウ内で、情報ファイルに含まれる情報を表示させるウィンドウ表示処理部、およびアプリケーション検出部によりアプリケーションの動作が検出されている場合、表示装置の画面に表示されているアプリケーションのツールバーにおいて情報ファイルに含まれる情報を表示させるツールバー表示処理部として機能させる。
【００２２】
これにより、ユーザが所定のアプリケーションを使用しているか否かに関係なく、ユーザにより視認されやすい位置に情報が表示されるため、ユーザにより情報が視認されやすくすることができる。
【００２３】
本発明に係る表示制御方法は、サーバ装置から情報ファイルを取得するステップと、所定のアプリケーションの動作を検出するステップと、アプリケーションの動作が検出されていない場合、所定の表示装置の画面において、１つのウィンドウを表示させ、そのウィンドウ内で、情報ファイルに含まれる情報を表示させるステップと、アプリケーションの動作が検出されている場合、表示装置の画面に表示されているアプリケーションのツールバーにおいて情報ファイルに含まれる情報を表示させるステップとを備える。
【００２４】
これにより、ユーザが所定のアプリケーションを使用しているか否かに関係なく、ユーザにより視認されやすい位置に情報が表示されるため、ユーザにより情報が視認されやすくすることができる。
【発明の効果】
【００２５】
本発明によれば、ユーザがアプリケーションを使用しているか否かに関係なく、ユーザにより視認されやすい位置に情報が表示されるため、ユーザにより情報が視認されやすくすることができる。
【発明を実施するための最良の形態】
【００２６】
以下、図に基づいて本発明の実施の形態を説明する。
【００２７】
図１は、本発明の実施の形態に係る表示制御装置としての端末装置１を含む情報処理システムの構成を示すブロック図である。
【００２８】
図１に示すシステムでは、端末装置１は、インターネットなどのネットワーク２を介してサーバ装置３から情報ファイル４１を取得し、その情報ファイル４１に含まれる各種情報を表示装置１２に表示する。表示される情報は、ニュース、広告などである。端末装置１は、例えば各種プログラムをインストールされたパーソナルコンピュータなどとして実現可能である。
【００２９】
サーバ装置３は、通信装置３１、データ格納装置３２およびウェブサーバ処理部３３を有する。サーバ装置３では、ウェブサーバ処理部３３が、通信装置３１を介してＨＴＴＰ（HyperText Transfer Protocol ）などの所定のプロトコルに従って要求を受信し、その要求により指定された情報ファイル４１をデータ格納装置３２から読み出し、通信装置３１を介して、端末装置１へ送信する。情報ファイル４１は、例えばＲＳＳ（Rich Site Summary/RDF Site Summary）ファイルとされ、ＸＭＬ（eXtensible Markup Language）で記述されたニュース、広告などの情報を含む。情報ファイル４１は、カテゴリ別に用意されていてもよい。その場合、カテゴリ名が情報ファイル４１に記述される。この情報は、テキスト情報を含み、さらに詳細な情報を有するウェブコンテンツへのリンク情報をそのテキスト情報とともに含むようにしてもよい。
【００３０】
端末装置１において、通信装置１１は、ネットワーク２を介してサーバ装置３と通信可能な装置である。通信装置１１としては、ネットワークインタフェース、モデムなどが適宜使用される。
【００３１】
また、表示装置１２は、サーバ装置３から取得された情報ファイル４１に含まれる情報を表示する装置である。表示装置１２としては、例えば液晶ディスプレイが使用される。入力装置１３は、ユーザの操作を検出し電気信号として出力する装置である。入力装置１３としては、キーボード、マウスなどが適宜使用される。
【００３２】
また、データ格納装置１４は、コンピュータ１５により実行可能なプログラムを格納する記録媒体を有する装置である。データ格納装置１４は、ウェブブラウザプログラム２１および情報表示プログラム２２を格納している。データ格納装置１４としては、例えばハードディスクドライブ、不揮発性メモリなどが使用される。
【００３３】
また、コンピュータ１５は、図示せぬＣＰＵ（Central Processing Unit）、ＲＯＭ（Read Only Memory）、ＲＡＭ（Random Access Memory）などを有し、データ格納装置１４、ＲＯＭなどに格納されているプログラムをＲＡＭにロードしてＣＰＵで実行する処理装置である。
【００３４】
コンピュータ１５によりウェブブラウザプログラム２１が実行されると、ウェブブラウザが実現される。なお、ウェブブラウザは、入力装置１３に対するユーザ操作に基づき、起動したり終了したりする。起動後でかつ終了前の期間、ウェブブラウザは動作中となる。このようなウェブブラウザとしては、マイクロソフト社のインターネットエクスプローラ（商標）などがある。
【００３５】
また、コンピュータ１５により情報表示プログラム２２が実行されると、情報表示に関する処理部が実現される。図２は、図１に示す情報表示プログラム２２により実現される処理部を示すブロック図である。この実施の形態では、コンピュータ１５により情報表示プログラム２２が実行されると、情報ファイル取得部５１、ブラウザ検出部５２、ウィンドウ表示処理部５３およびツールバー表示処理部５４が実現される。なお、情報表示プログラム２２は、コンピュータ１５の起動時、または入力装置１３へのユーザ操作に基づいて実行される。
【００３６】
情報ファイル取得部５１は、サーバ装置３から情報ファイル４１を取得する処理部である。
【００３７】
ブラウザ検出部５２は、所定のアプリケーションであるウェブブラウザの動作を検出する処理部である。つまり、ブラウザ検出部５２は、ウェブブラウザが動作中であるか否かを判定する。ブラウザ検出部５２は、アプリケーション検出部の一例である。
【００３８】
ウィンドウ表示処理部５３は、ブラウザ検出部５２によりウェブブラウザの動作が検出されていない場合、表示装置１２の画面において、専用のウィンドウを表示させ、その専用ウィンドウ内で、情報ファイル４１に含まれる情報を表示させる処理部である。
【００３９】
ツールバー表示処理部５４は、ブラウザ検出部５２によりウェブブラウザの動作が検出されている場合、表示装置１２の画面に表示されているウェブブラウザのツールバーにおいて、情報ファイル４１に含まれる情報を表示させる処理部である。
【００４０】
次に、上記端末装置１の動作について説明する。図３は、図１に示す端末装置１の動作について説明するフローチャートである。
【００４１】
情報表示プログラム４１の実行が開始されると（ステップＳ１）、情報ファイル取得部５１は、予め指定されているＵＲＬ（Uniform Resource Locator）を指定して、通信装置１１を介してサーバ装置３から情報ファイル４１を取得する（ステップＳ２）。
【００４２】
また、ブラウザ検出部５２は、その時点で、ウェブブラウザが動作しているか否かを判定する（ステップＳ３）。
【００４３】
ステップＳ３においてブラウザ検出部５２によりウェブブラウザが動作していないと判定された場合、ウィンドウ表示処理部５３は、表示装置１２の画面において、１つのウィンドウを表示させ、そのウィンドウ内で、情報ファイル４１に含まれる情報を表示させる（ステップＳ４）。図４は、図１に示す端末装置１における情報のウィンドウ表示の一例を示す図である。この場合、表示装置１２の画面１２ａの下方隅にウィンドウ６１が表示され、そのウィンドウ６１内で、情報ファイル４１に含まれている情報が表示される。情報ファイル４１にカテゴリ名が記述されている場合には、カテゴリ名も表示される。図４では、カテゴリ名「ニュース」が表示されている。
【００４４】
なお、ウィンドウ表示処理部５３は、情報を表示する際に、縦または横にスクロール表示してもよい。スクロール表示では、テキスト情報などが横方向または縦方向に流れるように動いて表示される。また、スクロール表示では、同一の情報を繰り返し表示してもよい。
【００４５】
一方、ステップＳ３においてブラウザ検出部５２によりウェブブラウザが動作していると判定された場合、ツールバー表示処理部５４は、表示装置１２の画面１２ａに表示されているウェブブラウザのツールバーにおいて、情報ファイル４１に含まれる情報を表示させる（ステップＳ５）。なお、このツールバーは予めインストールされている。図５は、図１に示す端末装置１における情報のツールバー表示の一例を示す図である。この場合、表示装置１２の画面１２ａのウィンドウ７１にウェブブラウザが表示され、そのウェブブラウザのツールバー７２において、情報ファイル４１に含まれている情報が表示される。情報ファイル４１にカテゴリ名が記述されている場合には、カテゴリ名も表示される。図５では、カテゴリ名「ニュース」が表示されている。
【００４６】
なお、ツールバー表示処理部５４は、情報を表示する際に、縦または横にスクロール表示してもよい。スクロール表示では、テキスト情報などが横方向または縦方向に流れるように動いて表示される。また、スクロール表示では、同一の情報を繰り返し表示してもよい。
【００４７】
そして、ステップＳ４において情報がウィンドウ表示されているときにブラウザ検出部５２によりウェブブラウザの起動が検出されると（ステップＳ６）、ウィンドウ表示処理部５３は、情報のウィンドウ表示を終了し（ステップＳ８）、ツールバー表示処理部５４は、情報のツールバー表示を開始する（ステップＳ５）。
【００４８】
また、ステップＳ５において情報がツールバー表示されているときにブラウザ検出部５２によりウェブブラウザの終了が検出されると（ステップＳ７）、ウィンドウ表示処理部５３は、情報のウィンドウ表示を開始する（ステップＳ４）。なお、ウェブブラウザの終了とともにツールバーの表示も終了する。
【００４９】
このようにして、ウェブブラウザが動作しているか否かに応じて、ツールバー７２またはウィンドウ６１で情報が表示される。
【００５０】
さらに、ハイパーリンクなどのリンク情報を含むテキスト情報がウィンドウ表示されているときに、入力装置１３に対するユーザ操作によりそのリンク情報を含む箇所がクリックされると、ウェブブラウザが自動的に起動し、そのリンク情報により指定されるＵＲＬからウェブコンテンツを取得し、ウェブコンテンツを表示する。このとき、ウェブブラウザが起動するため、情報ファイル４１の情報の表示位置は、ウィンドウ６１からツールバー７２へ変化する。
【００５１】
以上のように、上記実施の形態によれば、ウィンドウ表示処理部５３は、ブラウザ検出部５２によりウェブブラウザの動作が検出されていない場合、表示装置１２の画面１２ａにおいて、１つのウィンドウ６１を表示させ、そのウィンドウ６１内で、情報ファイル４１に含まれる情報を表示させる。一方、ツールバー表示処理部５４は、ブラウザ検出部５２によりウェブブラウザの動作が検出されている場合、同一の画面１２ａに表示されているウェブブラウザのツールバー７２において情報ファイル４１に含まれる情報を表示させる。
【００５２】
これにより、ユーザがウェブブラウザを使用しているか否かに関係なく、ユーザにより視認されやすい位置に情報が表示されるため、ユーザにより情報が視認されやすくすることができる。したがって、この情報が広告である場合には、広告効果を向上させることができる。
【００５３】
また、上記実施の形態によれば、ウィンドウ表示処理部５３は、ブラウザ検出部５２によりウェブブラウザの動作が検出されている場合、ウィンドウ６１および情報の表示を停止する。
【００５４】
これにより、常に一箇所のみにて情報が表示されるため、同一の情報が複数位置に表示されてユーザが混乱することを防止できる。
【００５５】
なお、上述の実施の形態は、本発明の好適な例であるが、本発明は、これらに限定されるものではなく、本発明の要旨を逸脱しない範囲において、種々の変形、変更が可能である。
【００５６】
例えば、上記実施の形態において、情報ファイル取得部５１は、内容の異なる情報ファイル４１を繰り返し取得し、ウィンドウ表示の場合には、ウィンドウ表示処理部５３は、情報ファイル取得部５１により情報ファイル４１が取得されるたびに、その情報ファイル４１における情報を表示させ、ツールバー表示の場合には、ツールバー表示処理部５４は、情報ファイル取得部５１により情報ファイル４１が取得されるたびに、その情報ファイル４１における情報を表示させるようにしてもよい。これにより、継続的にユーザへ各種情報が呈示されるが、その場合においても、継続的に各種情報がユーザにより視認されやすくなる。内容の異なる情報ファイル４１は、ＵＲＬの異なる情報ファイル４１であってもよいし、内容の更新された同一ＵＲＬの情報ファイル４１であってもよい。なお、内容の更新は、サーバ装置３により行われる。
【００５７】
また、上記実施の形態において、ユーザ所望のカテゴリを指定するカテゴリ設定情報をデータ格納装置１４に予め格納しておき、情報ファイル取得部５１は、そのカテゴリ設定情報を参照して、ユーザにより指定されているカテゴリを特定し、そのカテゴリの情報ファイル４１をサーバ装置３から取得するようにしてもよい。
【００５８】
また、上記実施の形態において、情報表示プログラム２２は、端末装置１内のデータ格納装置１４に格納されているが、ＣＤ−ＲＯＭなどの可搬性のある記録媒体に格納されていてもよい。
【００５９】
また、上記実施の形態において、表示装置１２は、端末装置１に内蔵されていなくてもよく、端末装置１に接続されているものでもよい。
【産業上の利用可能性】
【００６０】
本発明は、例えば、パーソナルコンピュータ上でのプッシュ型の広告表示に適用可能である。
【図面の簡単な説明】
【００６１】
【図１】本発明の実施の形態に係る表示制御装置としての端末装置を含む情報処理システムの構成を示すブロック図である。
【図２】図１に示す情報表示プログラムにより実現される処理部を示すブロック図である。
【図３】図１に示す端末装置の動作について説明するフローチャートである。
【図４】図１に示す端末装置における情報のウィンドウ表示の一例を示す図である。
【図５】図１に示す端末装置における情報のツールバー表示の一例を示す図である。
【符号の説明】
【００６２】
１  端末装置（表示制御装置）
３  サーバ装置
１２  表示装置
１２ａ  画面
１５  コンピュータ
２２  情報表示プログラム
４１  情報ファイル
５１  情報ファイル取得部
５２  ブラウザ検出部（アプリケーション検出部）
５３  ウィンドウ表示処理部
５４  ツールバー表示処理部
６１  ウィンドウ
７２  ツールバー
【図１】
2009223531.tif 000003
【図２】
2009223531.tif 000004
【図３】
2009223531.tif 000005
【図４】
2009223531.tif 000006
【図５】
2009223531.tif 000007